(57)【要約】【課題】排出海水の表面における発生した泡レベルを制御するための消泡装置を提供する。【解決手段】海水エアレーション容器内の排出海水に酸素含有ガスを吹き込むために機能するファン６２の高圧側に接続された、海水エアレーション容器５６と、海水エアレーション容器内の排出海水ＥＳの表面８２から消泡装置９８へ泡を吸い込むために機能するファンの低圧側と、を備え、消泡装置９８は、入口および出口を備えるハウジングと、噴霧システムであって、ハウジングの内部領域を横切って配置された、内部領域を入口領域と出口領域とに分割する少なくとも１つの小孔付きプレートに向かってハウジング内に流体を噴霧するために機能する噴霧システムと、出口と流体連通して配置されたミストエリミネータと、消泡装置から流体を排出するために機能する、内部領域の底部と流体連通した排出ダクトとを有する。【選択図】図２
2015213904.tif 000002
【特許請求の範囲】
【請求項１】
泡制御システムにおいて、
海水エアレーション容器であって、該海水エアレーション容器内の排出海水に酸素含有ガスを吹き込むために機能するファンの高圧側に接続された、海水エアレーション容器と、
該海水エアレーション容器内の排出海水の表面から消泡装置へ泡を吸い込むために機能するファンの低圧側と、を備え、
前記消泡装置は、
入口および出口を備えるハウジングと、
噴霧システムであって、前記ハウジングの内部領域を横切って配置された、該内部領域を入口領域と出口領域とに分割する少なくとも１つの小孔付きプレートに向かって前記ハウジング内に流体を噴霧するために機能する噴霧システムと、
前記出口と流体連通して配置されたミストエリミネータと、
前記消泡装置から流体を排出するために機能する、前記内部領域の底部と流体連通した排出ダクトと、を有することを特徴とする、泡制御システム。
【請求項２】
前記泡は、別個の第２のファンの低圧側を利用して、前記排出海水の表面から前記ハウジングの内部領域へ吸い込まれる、請求項１記載のシステム。
【請求項３】
前記泡は、前記排出海水の表面から前記ハウジングの内部領域へ吸い込まれ、前記噴霧システムによって前記少なくとも１つの小孔付きプレートに向かって噴霧された流体によって破壊される、請求項１記載のシステム。
【請求項４】
前記泡の吸込は、連続的に、予定した周期で、検出器により開始される“必要に応じた”周期で、またはその他の不連続式に行われる、請求項１記載のシステム。
【請求項５】
消泡装置において、
入口および出口を備えるハウジングと、
噴霧システムであって、前記ハウジングの内部領域を横切って配置された、該内部領域を入口領域と出口領域とに分割する少なくとも１つの小孔付きプレートに向かって前記ハウジング内に流体を噴霧するために機能する噴霧システムと、
前記出口と流体連通して配置されたミストエリミネータと、
前記内部領域から流体を排出するために機能する、前記内部領域の底部と流体連通した排出ダクトと、を有することを特徴とする、消泡装置。
【請求項６】
前記泡は、エアレーションファンまたは別個の第２のファンを利用して、海水エアレーション容器内の排出海水の表面から前記ハウジングの内部領域へ吸い込まれる、請求項５記載のシステム。
【請求項７】
前記泡は、海水エアレーション容器内の排出海水の表面から前記ハウジングの内部領域へ吸い込まれ、泡の流れを妨害する少なくとも１つの小孔付きプレートに向かって方向付けられた、噴霧システムからの流体噴霧によって接触されることにより、破壊される、請求項５記載の装置。
【請求項８】
前記泡は、連続的に、予定した周期で、検出器により開始される“必要に応じた”周期で、またはその他の不連続式に前記ハウジングに吸い込まれる、請求項５記載の装置。
【請求項９】
泡制御の方法において、
海水エアレーション容器であって、該海水エアレーション容器に含まれた排出海水に酸素含有ガスを吹き込むために機能するファンの高圧側に流体接続された海水エアレーション容器を提供し、
前記海水エアレーション容器内の排出海水の表面から消泡装置へ泡を吸い込むために機能するファンの低圧側を提供し、
前記消泡装置の内部領域において泡を破壊し、
前記消泡装置は、
前記内部領域を規定しており、かつ吸い込まれる泡のための入口と、空気のための出口を備えるハウジングと、
噴霧システムであって、前記ハウジングの内部領域を横切って配置された、該内部領域を入口領域と出口領域とに分割する少なくとも１つの小孔付きプレートに向かって前記ハウジング内に流体を噴霧するために機能する噴霧システムと、
前記出口と流体連通して配置されたミストエリミネータと、
前記消泡装置から流体を排出するために機能する、前記内部領域の底部と流体連通した排出ダクトと、を有することを特徴とする、泡制御の方法。
【請求項１０】
前記泡は、前記内部領域において、泡の流れを妨害する少なくとも１つの小孔付きプレートに向かって方向付けられた噴霧システムからの流体噴霧との接触により、破壊される、請求項９記載の方法。
【請求項１１】
吸い込まれた泡は、重金属を含有しており、破壊された泡から生じた流体は、重金属を含有する、請求項９記載の方法。
【請求項１２】
前記泡の吸込は、連続的に、予定した周期で、検出器により開始される“必要に応じた”周期で、またはその他の不連続的に行われる、請求項９記載の方法。
【請求項１３】
消泡装置を使用する方法において、
海水エアレーション容器内の排出海水の表面から消泡装置内へ泡を吸い込み、
内部領域を横切って配置された、泡の流れを妨害する少なくとも１つの小孔付きプレートに向かって方向付けられた、内部領域における流体噴霧によって接触されることにより、消泡装置の内部領域において吸い込まれた泡を破壊することを含むことを特徴とする、消泡装置を使用する方法。
【請求項１４】
吸い込まれた泡は、重金属を含有しており、破壊された泡から生じた流体は、重金属を含有する、請求項１３記載の方法。
【請求項１５】
前記泡の吸込は、連続的に、予定した周期で、検出器により開始される“必要に応じた”周期で、またはその他の不連続式に行われる、請求項１３記載の方法。
【発明の詳細な説明】
【技術分野】
【０００１】
本開示は、海水法式排煙脱硫システムに関連した海水エアレーション容器に含まれた海水の処理の間に発生した泡を除去するための消泡装置に関する。
【０００２】
本開示は、さらに、海水法式排煙脱硫システムに関連した海水エアレーション容器に含まれた海水の処理の間に発生した泡を除去するための消泡装置を使用する方法に関する。
【背景技術】
【０００３】
二酸化硫黄ＳＯ2を含有するプロセスガスは、多くの工業的なプロセスにおいて発生される。１つのこのような工業的なプロセスは、発電プラントなどの燃焼プラントにおける石炭、石油、泥炭、廃棄物などの燃料の燃焼である。このような発電プラントでは、しばしば排煙と呼ばれる高温のプロセスガスが発生される。発生した排煙は、例えば酸性ガス、例えば二酸化硫黄ＳＯ2などの汚染物を含有する。排煙を大気中へ放出する前に排煙からできるだけ多くの発生した酸性ガスを除去する必要がある。汚染物を含有するプロセスガスを発生する工業的なプロセスの別の例は、アルミナからのアルミニウムの電解生成である。このプロセスでは、二酸化硫黄ＳＯ2を含有するプロセスガスまたは排煙は、電解槽の通気フード内に発生される。同様に、排煙を大気中へ放出する前に排煙からできるだけ多くの発生した二酸化硫黄ＳＯ2を除去する必要がある。
【０００４】
国際公開第２００８／１０５２１２号は、ボイラ、蒸気タービンシステム、および排煙脱硫用の海水スクラバを含むボイラシステムを開示している。ボイラは、燃料の燃焼によって、電力を発生するために蒸気タービンシステムにおいて利用される高圧蒸気を発生する。海水が海から集められ、蒸気タービンシステムの凝縮器において冷却媒体として利用される。その後、海水は、ボイラにおいて発生した排煙から二酸化硫黄ＳＯ2を吸収するために、海水法式排煙脱硫スクラバにおいて利用される。海水法式排煙脱硫スクラバにおいて海水と接触することによって海水によって吸収された二酸化硫黄ＳＯ2は、亜硫酸塩および／または重亜硫酸塩イオンを形成する。海水法式排煙脱硫スクラバからの排出海水は、処理のために海水エアレーション容器へ送られる。海水エアレーション容器において、亜硫酸塩および／または重亜硫酸塩イオンを硫酸イオンに酸化させるために、海水法式排煙脱硫スクラバから送られてくる排出海水に気泡が通過させられる。容器内の亜硫酸塩および／または重亜硫酸塩イオンは、このようにして、気泡に含まれた気体酸素によって硫酸イオンに酸化させられる。次いで、処理された排出海水における結果的な不活性の硫酸イオンは、再び海へ放出されてよい。
【０００５】
海水エアレーション容器における排出海水の処理に関連した１つの問題は、排出海水の表面における泡の発生である。海水エアレーション容器における泡の発生は、排出海水のみならず、発生した泡をも受容するために、より大きな容器の構成を必要とする。より大きな容器の構成は、より大きな資本、メンテナンスおよび運転費用を意味する。別の問題は、現時点では、排出海水の表面に発生した泡は、通常、直接に海へ放出されるということである。しかしながら、発生した泡は、海へ放出するのに不適切な比較的高濃度の重金属を含んでいる。これらの問題を考慮して、関連する資本、メンテナンスおよび／または運転費用を減じ、かつ海への重金属の放出を低減または回避するために、排出海水エアレーション容器における海水泡レベルを制御するための消泡装置が必要とされている。同様に、関連する資本、メンテナンスおよび／または運転費用を減じ、かつ海への重金属の放出を低減または回避するために、排出海水エアレーション容器における海水泡レベルを制御するための消泡装置を使用する方法が必要とされている。
【先行技術文献】
【特許文献】
【０００６】
【特許文献１】国際公開第２００８／１０５２１２号
【発明の概要】
【発明が解決しようとする課題】
【０００７】
本開示の課題は、排出海水の表面における発生した泡レベルを制御するための消泡装置を提供することである。排出海水は、このような目的のために構成されたスクラバにおいて、二酸化硫黄を含有する排煙を海水と接触させることによって排煙から二酸化硫黄を除去するときに発生される。次いで、スクラバにおいて発生した排出海水は、海水エアレーション容器において処理される。上述の課題は、海水エアレーション容器に含まれた排出海水の表面における発生した泡レベルを制御するために有効な主体の消泡装置によって達成される。主体の消泡装置は、高圧側、すなわちブロワ側と、低圧側、すなわち吸込側とを備える、ポータブルファン、エアレーションファンなどのファンを使用して作動させられる。ファンの低圧側を使用して、発生した泡が、海水エアレーション容器において処理を受けている排出海水の表面から、主体の消泡装置へ吸い込まれる。排出海水の表面から泡を吸い込むことは、海水エアレーション容器における泡レベルを減じるか、または海水エアレーション容器によって含まれる泡を排除する。泡を吸い込むという主体の目的のために、海水エアレーション容器に含まれた排出海水を通気するために、海水エアレーション容器に空気を吹き通すために既に使用されているエアレーションファンの使用は、より小さなサイズのファンを使用するよりも好ましくない。より小さなサイズのファンの使用が好ましい。なぜならば、エアレーションファンは、主体の消泡装置の作動に必要とされるよりも多くの吸込みを提供し得るからである。しかしながら、海水の表面から発生した泡を吸い込むことにより、海水エアレーション容器の全体的なサイズが減じられてよく、これにより、それに関連するコストを減じる。海水の表面から除去されると、発生した泡は、主体の消泡装置によって破壊される。次いで、主体の消泡装置における、吸い込まれた泡の破壊によって生じた流体は、その環境的に保存的な廃棄の前に、収集、貯蔵および／または処理される。
【０００８】
主体の消泡装置の利点は、それに関連した資本、メンテナンスおよび／または運転費用をも減じつつ、前述の環境的課題が達成されるということである。ポータブルファン、エアレーションファンなどの低圧側を使用することにより、高圧ブロワの効率の損失は最小限となる。同様に、ほとんどの用途において、発生した泡レベルの制御は、不連続モードでの消泡装置の作動によって達成される。不連続モードで消泡装置を作動させることは、同様に、それに起因するあらゆるファン効率損失をも減じ、同様に、関連するコストを減じる。さらに、海水エアレーション容器における発生した泡レベルを排除または制御することによって、海水エアレーション容器の全体的なサイズが縮小されてよく、これにより、それに起因する関連する資本、メンテナンスおよび／または作動費用を減じる。
【０００９】
本開示の別の課題は、排出海水の表面における発生した泡レベルを制御する方法を提供することである。排出海水は、このような目的のために構成された排煙脱硫スクラバにおいて、二酸化硫黄を含有する排煙を海水と接触させることによって排煙から二酸化硫黄を除去するときに発生される。次いで、海水法式排煙脱硫スクラバにおいて発生した排出海水は、海水エアレーション容器において処理される。上述の課題は、主体の消泡装置を使用する方法によって、海水エアレーション容器に含まれた排出海水の表面に発生した泡レベルを制御することによって達成される。この場合、発生した泡を排出海水の表面から主体の消泡装置へ吸い込み、消泡装置において破壊するために、ポータブルファン、エアレーションファンなどの低圧側、すなわち吸込側が利用される。次いで、泡の破壊によって生じた流体は、その環境的に保存的な廃棄の前に、収集、貯蔵および／または処理される。海水エアレーション容器における排出海水の表面上の発生した泡のレベルを排除または制御することによって、海水エアレーション容器の全体的なサイズが減じられてよく、これにより、それに起因する関連する資本、メンテナンスおよび／または作動費用を減じる。
【００１０】
利点は、この方法が、それに関連する最小限の付加的な作動および／または資本費用で前述の課題を達成するということである。ポータブルファン、エアレーションファンなどの低圧側を使用することにより、高圧ブロワの効率の損失は最小限となる。同様に、ほとんどの用途において、発生した泡レベルの制御は、不連続モードで主体の方法に従って主体の消泡装置を作動させることによって達成される。不連続モードで作動させることは、同様に、それに起因するあらゆるファン効率損失をも減じ、同様に、関連するコストを減じる。
【課題を解決するための手段】
【００１１】
要するに、主体の開示は、海水エアレーション容器に含まれた排出海水に空気、または酸素含有ガスを吹き込むために作動可能な第１のエアレーションファンに流体接続された海水エアレーション容器を有する泡制御システムを提供する。ポータブルファンなどの第２のファンは、発生した泡を、海水エアレーション容器に含まれた排出海水の表面から消泡装置へ吸い込むために作動可能である。海水エアレーション容器に空気を吹き込んで、海水エアレーション容器に含まれた排出海水に通気するために既に使用されている第１のエアレーションファンの使用は、ポータブルファンなどの別のより小さなサイズの第２のファンよりも、主体の消泡装置に関して使用するためには好ましくない。主体の消泡装置に関して第１のエアレーションファンを使用すると、場合によっては、消泡装置の作動に必要とされるよりも多くの吸込みを生じ得る。
【００１２】
主体の消泡装置は、内部領域を規定するハウジングを有する。ハウジングは、吸い込まれる泡がハウジングの内部領域へ流入するための、吸い込まれる泡の入口と、ハウジングの内部領域から空気が流出するための空気出口を備える。ハウジングは、流体供給部と流体連通した配管を含む噴霧システムをも有する。配管／流体供給部からハウジング内へ流体を噴霧するために機能する１つまたは複数の開口またはノズルも、配管と流体連通している。この場合、開口またはノズルから噴霧された流体は、ハウジングの内部領域を横切って配置された少なくとも１つの小孔付きプレートの表面に向かって方向付けられる。少なくとも１つの小孔付きプレートは、ハウジングの内部領域を入口領域と出口領域とに分割している。選択的に、少なくとも１つの小孔付きプレートは、同じまたは異なるメッシュサイズを有する１つまたは複数のスクリーンの形態であってもよい。ミストエリミネータは、出口領域と流体連通して配置されており、空気出口から流出する空気に含まれた水分量の少なくとも一部を減じるために機能する。排出ダクトは、ハウジングの内部領域の底部と流体連通して配置されており、ハウジングの内部領域から流体を排出するために機能する。
【００１３】
主体の消泡装置およびシステムを使用する場合、排出海水の表面からの泡は、ポータブルファン、エアレーションファンなどの低圧側によってハウジングの内部領域へ吸い込まれる。ハウジング内では、吸い込まれた泡は、１つまたは複数の開口またはノズルから少なくとも１つの小孔付きプレートに向かって噴射された流体によって破壊される。少なくとも１つの小孔付きプレートは、ハウジングの内部領域における吸い込まれた泡の流れを妨害する。選択的に、少なくとも１つの小孔付きプレートは、同じまたは異なるメッシュサイズを有する１つまたは複数のスクリーンの形態であってもよい。吸い込まれた泡の破壊は、流体と、空気を生じる。噴射された流体と、生じた流体とは、排出ダクトを通じてハウジングの内部領域から排出される。生じた空気は、空気出口を通じてハウジングの内部領域から流出する。主体の消泡装置を作動させる場合、発生した泡を吸い込むためにファンの低圧側を利用することは、連続的に、予定した周期で、検出器により開始される“必要に応じた”周期で、またはその他の不連続的に、行われてよい。
【００１４】
主体の開示は、同様に、海水エアレーション容器に含まれた排出海水に空気、または酸素含有ガスを吹き込むために機能するエアレーションファンに流体接続された海水エアレーション容器を提供することを含む、泡制御の方法を提供する。ポータブルファン、エアレーションファンなどのファンは、発生した泡を、海水エアレーション容器に含まれた排出海水の表面から吸い込むために機能する。排出海水の表面から吸い込まれた発生した泡は、主体の消泡装置へ吸い込まれる。主体の消泡装置内では、吸い込まれた発生した泡は破壊される。吸い込まれた発生した泡の破壊を達成するために、主体の消泡装置は、内部領域を規定するハウジングを有する。ハウジングは、吸い込まれる発生した泡が内部領域へ流入するための泡入口と、内部領域から空気が流出するための空気出口とを備える。ハウジングは、流体供給部と流体接続された配管を含む噴霧システムをも有する。配管は、流体を、ハウジングの内部領域内の流体接続された流体供給部から、ハウジングの内部領域を横切って配置された少なくとも１つの小孔付きプレートに向かって噴射するために機能する１つまたは複数の開口またはノズルにも流体接続されている。小孔付きプレートは、ハウジングの内部領域を入口領域と出口領域とに分割するように配置されている。選択的に、少なくとも１つの小孔付きプレートは、同じまたは異なるメッシュサイズを有する１つまたは複数のスクリーンの形態であってもよい。ミストエリミネータは、空気出口を通じて内部領域から流出する空気に含まれる水分を捕捉するために出口領域と流体連通して配置されている。排出ダクトも、ハウジングの内部領域の底部と流体連通している。この場合、排出ダクトは、ハウジングの内部領域から流体を排出するために機能する。使用時、吸い込まれた発生した泡は、ハウジングの内部領域において、少なくとも１つの小孔付きプレートに向かって方向付けられた、スプレーシステムの開口またはノズルから噴霧された流体の噴霧によって破壊される。小孔付きプレートは、吸い込まれた発生した泡がハウジングの内部領域を通流するのを妨害する。ハウジングの内部領域に進入する吸い込まれた発生した泡は、重金属を含有し得る。吸い込まれた発生した泡の破壊によって生じた流体も、重金属を含有し得る。吸い込まれた発生した泡の破壊によって生じた流体は、これにより、必要に応じて、処理のために排出ダクトを通じて収集される。さらに、主体の方法によれば、発生した泡を吸い込むためにファンの低圧側を利用することは、連続的に、予定した周期で、検出器により開始される“必要に応じた”周期で、またはその他の不連続的に、行われてよい。
【００１５】
主体の消泡装置を使用する方法は、発生した泡を、海水エアレーション容器に含まれた排出海水の表面から主体の消泡装置へ吸い込むことを含む。消泡装置内の吸い込まれた発生した泡は、配管および流体供給源に流体接続された１つまたは複数の開口またはノズルから噴霧された流体による流体噴霧接触によって破壊される。消泡装置の内部領域に噴霧された流体は、消泡装置ハウジングの内部領域を横切って配置された少なくとも１つの小孔付きプレートに向かって方向付けられ、内部領域における吸い込まれた発生した泡の流れを妨害する。選択的に、少なくとも１つの小孔付きプレートは、同じまたは異なるメッシュサイズを有する１つまたは複数のスクリーンの形態であってもよい。消泡装置内の吸い込まれた発生した泡は、重金属を含有し得る。発生した泡の破壊によって生じた流体は、同様に、重金属を含有し得る。吸い込まれた発生した泡の破壊によって生じた流体は、流体接続された排出ダクトを通じて消泡装置から排出される。消泡装置から排出された流体は、その環境的に保存的な廃棄の前に、必要に応じて、収集、貯蔵および／または処理されてよい。さらに、主体の方法によれば、発生した泡を排出海水の表面から吸い込むためにファンの低圧側を利用することは、連続的に、予定した周期で、検出器により開始される“必要に応じた”周期で、またはその他の不連続的に、行われてよい。
【００１６】
重金属を含有する泡を制御する方法は、海水エアレーション容器内の排出海水のエアレーションのために、海水エアレーション容器に含まれた排出海水に空気、または酸素含有ガスを吹き込むために作動可能なエアレーションファンに流体接続された海水エアレーション容器を提供することを含む。ポータブルファン、エアレーションファンなどのファンは、水銀などの重金属を含有する発生した泡を、海水エアレーション容器に含まれた排出海水の表面から吸い込むために機能する。ファンの低圧側を利用して排出海水の表面から泡を吸い込むことは、連続的に、予定した周期で、検出器により開始される“必要に応じた”周期で、またはその他の不連続的に、行われてよい。さらに、場合によっては水銀などの重金属を含有する吸い込まれた発生した泡の破壊によって生じた流体の収集、貯蔵および／または処理のために、流体収集タンクが選択的に使用されてもよい。この場合、場合によっては水銀などの重金属を含有する吸い込まれた発生した泡は、排出海水の表面から吸い込まれ、主体の消泡装置において破壊される。主体の消泡装置における吸い込まれた発生した泡の破壊によって生じた流体は、同様に、水銀などの重金属を含有し得るので、生じた流体は、その環境的に保存的な廃棄の前に、流体内のあらゆる重金属の少なくとも一部の除去のために流体収集タンクに収集、貯蔵および／または処理されてもよい。これに代えて、生じた流体は、発電プラントの他のところまたは敷地外における処理のために搬送する前に、流体収集タンクに収集され、選択的に一定時間貯蔵されてもよい。
【００１７】
本開示のその他の課題及び特徴が以下の説明及び請求項から明らかになるであろう。
【００１８】
ここで、以下で説明される添付された図面を参照しながら、本発明がさらに詳細に開示される。
【図面の簡単な説明】
【００１９】
【図１】本開示による装置を備える発電プラントの概略的な側方断面図である。
【図２】図１による主体の消泡装置およびシステムを備える、海水法式排煙脱硫システムの海水エアレーション容器の概略的な拡大した側方断面図である。
【図３】図２による消泡装置の概略的な拡大した側方断面図である。
【図４】図３による小孔付きプレートの概略的な拡大した“入口領域”正面図である。
【発明を実施するための形態】
【００２０】
図１は、発電プラント１０を示す概略的な側方断面図である。発電プラント１０は、ボイラ１２を有する。ボイラ１２には、石炭、石油などの燃料Ｆが燃料源１４から、流体接続された供給管１６を通じてボイラ１２へ、ボイラ１２における燃焼のために供給される。燃料Ｆは、酸素源１８から、流体接続された酸素供給ダクト２０を通じてボイラ１２へ供給される酸素Ｏが存在する中でボイラ１２において燃焼させられる。ボイラ１２に供給される酸素Ｏは、例えば、空気の形式および／または酸素ガスと再循環された発電プラント排煙ＦＧとの混合物の形式で供給されてよい。このような場合、ボイラ１２は、一般的に“酸素燃焼”ボイラと呼ばれるものである。燃料Ｆの燃焼は、排煙ＦＧの形式の高温プロセスガスを発生する。燃料Ｆに含有された硫黄種は、燃料Ｆの燃焼時に、二酸化硫黄ＳＯ2を生成する。これにより、発電プラント１０の排煙ＦＧは、その一部として、二酸化硫黄を含んでいる。
【００２１】
生じた排煙ＦＧは、ボイラ１２から、流体接続されたダクト２２を通じて、ファブリックフィルタまたは静電集塵器の形式の微粒子収集装置２４へ流れる。米国特許第４５０２８７２号明細書に記載された静電集塵器のような微粒子収集装置２４は、排煙ＦＧに含まれた塵芥および／または灰粒子を除去するために機能する。これに代えて、米国特許第４３３６０３５号明細書に記載されたファブリックフィルタが、排煙ＦＧからの排煙塵芥および／または灰の微粒子収集のために使用されてもよい。代替的な実施の形態として、微粒子収集装置２４は、海水法式排煙脱硫システム２８の下流に配置されてもよい。さらに別の実施の形態として、微粒子収集装置２４は、システムから省略され、微粒子除去は、海水法式排煙脱硫システム２８のみにおいて行われてもよい。
【００２２】
図１に示された本実施の形態によれば、灰および／または塵芥粒子のほとんどが除去された排煙ＦＧは、微粒子収集装置２４から、流体接続されたダクト２６を通じて、海水法式排煙脱硫システム２８へ流れる。海水法式排煙脱硫システム２８は、湿式スクラバタワーまたは吸収装置３０を有する。入口３２は、吸収装置３０の下側部分３４に配置されている。ダクト２６は、入口３２に流体接続されており、微粒子収集装置２４からダクト２６を通じて流れる排煙ＦＧは、入口３２を通って吸収装置３０の内部３６へ進入してよい。
【００２３】
内部３６に進入した後、排煙ＦＧは、矢印ＦＧによって示したように、吸収装置３０を通って鉛直方向上方へ流れる。吸収装置３０の中央部分３８には、鉛直方向で互いに上下に配置された複数の噴霧配列４０が設けられている。図１に示された実施の形態においては分かりやすくするために、３つのこのような噴霧配列４０が設けられている。通常、吸収装置３０には１〜２０個のこのような噴霧配列４０が設けられている。各噴霧配列４０は、供給管４２と、それぞれの供給管４２に流体接続された複数のノズル４４とを有する。それぞれの供給管４２を通じてノズル４４に供給された海水ＳＷは、ノズル４４によって霧化され、吸収装置３０の内部３６において、吸収装置３０を通流する排煙ＦＧと接触する。この場合、海水ＳＷと排煙ＦＧとの接触により、吸収装置３０の内部３６において海水ＳＷが排煙ＦＧから二酸化硫黄ＳＯ2を吸収することができる。
【００２４】
ポンプ４６は、海水ＳＷを、流体接続された吸込管４８を通じて、海水供給源または海５０から、流体接続された圧力管５２を通って、さらに流体接続された供給管４２を通ってポンピングするために配置されている。
【００２５】
代替的な実施の形態によれば、ポンプ４６によって供給管４２へポンピングされた海水ＳＷは、このような海水ＳＷを吸収装置３０へ供給する前に、ボイラ１２に関連した蒸気タービンシステム（図示せず）において冷却水として前もって利用された海水ＳＷであってもよい。
【００２６】
代替的な実施の形態によれば、海水法式排煙脱硫システム２８は、吸収装置３０の内部３６に配置された１つまたは複数の層のパッキング材料５８を有してもよい。プラスチック、鋼、木材または別の適切な材料から形成されてよいパッキング材料５８は、気液接触を高める。パッキング材料５８を備えることにより、ノズル４４は、排煙ＦＧとの接触のために海水ＳＷを霧化するのではなく、単に海水ＳＷをパッキング材料５８に分散させるだけである。パッキング材料５８の例は、スイス国ヴィンタートゥール所在のSulzer Chemtech AGから市販されているMellapakTM、およびドイツ国ルートヴィヒスハーフェン所在のRaschig GmbHから市販されているPallTMリングを含む。
【００２７】
吸収装置３０の内部３６でノズル４４によって霧化された海水ＳＷは、吸収装置３０の内部３６において鉛直方向上方へ流れる排煙ＦＧとの接触およびこの排煙ＦＧからの二酸化硫黄吸収のために、吸収装置３０において下方へ流れる。内部３６における海水ＳＷによる二酸化硫黄の吸収は、吸収装置３０の下側部分３４に収集された排出海水ＥＳを形成する。吸収装置３０の下側部分３４に収集された排出海水ＥＳは、流体接続された排出管５４を通じて海水エアレーション容器５６へ排出されるまたは流れる。
【００２８】
選択的に、必要ならば、排出管５４を通って海水エアレーション容器５６へ流れる排出海水ＥＳに新鮮な海水ＳＷが加えられてもよい。このために、排出海水ＥＳを海水エアレーション容器５６へ送る流体接続された排出管５４に新鮮な海水ＳＷの流れを供給するために、選択的な管６０が圧力管５２に流体接続されていてもよい。これにより、新鮮な海水ＳＷと、排出海水ＥＳとの混合が、排出管５４において生じてよい。別の選択的な択一例（図示せず）として、管６０を通じて供給される新鮮な海水ＳＷは、海水エアレーション容器５６へ直接に送られ、海水エアレーション容器５６内の排出海水ＥＳと混合されてもよい。さらに別の選択肢（図示せず）として、ボイラ１２またはボイラに関連した蒸気タービンシステム（図示せず）において発生した残留水および／または凝縮水を、海水エアレーション容器５６において排出海水ＥＳと混合することができる。
【００２９】
吸収装置３０の内部３６における二酸化硫黄の吸収は、以下の反応にしたがって生じると仮定される：
ＳＯ2（ｇ）＋Ｈ2Ｏ＝＞ＨＳＯ3-（ａｑ）＋Ｈ+（ａｑ）      （式  １．１ａ）
重亜硫酸塩イオンＨＳＯ3-は、排出海水ＥＳのｐＨ値に応じて、さらに解離してよく、これにより、以下の平衡反応にしたがって、亜硫酸塩イオンＳＯ32-を形成する：
ＨＳＯ3-（ａｑ）＜＝＞ＳＯ32-（ａｑ）＋Ｈ+（ａｑ）      （式  １．１ｂ）
これにより、二酸化硫黄の吸収の効果として、排出海水ＥＳは、二酸化硫黄の吸収において生じた水素イオンＨ+の効果として、海５０からの新鮮な海水ＳＷのｐＨ値よりも小さいｐＨ値を有し、重亜硫酸塩イオンおよび／または亜硫酸塩イオン、ＨＳＯ3-およびＳＯ32-をそれぞれ含有する。重亜硫酸塩イオンおよび／または亜硫酸塩イオンは、酸素要求物質であり、海５０へのその放出は、制限されている。
【００３０】
海水エアレーション容器５６において、重亜硫酸塩イオンおよび／または亜硫酸塩イオンＨＳＯ3-および／またはＳＯ32-は、以下の反応にしたがってこれらを酸素と反応させることによって酸化させられる：
ＨＳＯ3-＋Ｈ+＋１／２Ｏ2（ｇ）＝＞ＳＯ42-＋２Ｈ+      （式  １．２ａ）
ＳＯ32-＋２Ｈ+＋１／２Ｏ2（ｇ）＝＞ＳＯ42-＋２Ｈ+      （式  １．２ｂ）
海水エアレーション容器５６は、流体接続された管路６４を通じて酸素含有ガスまたは空気Ａを、海水エアレーション容器５６に含まれた排出海水ＥＳに吹き込むために機能するエアレーションファン６２を有する。エアレーションファン６２および流体接続された管路６４は、酸素含有ガスまたは空気Ａを海水エアレーション容器５６における排出海水ＥＳに供給するための酸素供給システム６６を形成している。海水エアレーション容器５６のより詳細な説明が、以下に図２に関して提供される。
【００３１】
図２は、海水エアレーション容器５６をより詳細に示している。排出海水ＥＳは、海水エアレーション容器５６の入口端部である第１の端部９０において、流体接続された排出管５４を通じて、海水処理システム８０の海水エアレーション容器５６の部分へ供給される。排出海水ＥＳは、矢印Ｓによって示したように概して水平方向に、第１の端部９０から、海水エアレーション容器５６の出口端部である第２の端部９２まで流れる。排出海水ＥＳが第１の端部９０から第２の端部９２へ流れるとき、第２の端部９２の近くにおいて排出海水ＥＳの表面８２に泡ＨＭが発生される。泡ＨＭは、水銀などの比較的高濃度の重金属を含有し得る。第２の端部９２において、処理された排出海水ＴＳは、流体接続されたオーバーフロー管６８を通じて海水エアレーション容器５６からオーバーフローする。
【００３２】
エアレーションシステム８０は、さらに、エアレーションファン６２と、管路６４とを備える酸素供給システム６６を有する。管路６４は、海水エアレーション容器５６の内部８４に複数の出口９４を有する。エアレーションファン６２は、海水エアレーション容器５６における排出海水ＥＳの表面８２よりも下方における出口９４から放出するために管路６４を通じて酸素含有ガスまたは空気Ａを吹き込む。管路６４は、海水エアレーション容器５６に沿って、海水エアレーション容器５６の第１の端部９０と第２の端部９２との間に延びている。エアレーションファン６２の高圧側によって吹き込まれ、出口９４から放出された酸素含有ガスまたは空気Ａは、海水エアレーション容器５６における排出海水ＥＳと混合される。この場合、酸素含有ガスまたは空気Ａは、排出海水ＥＳに分散させられて、排出海水ＥＳと混合され、これにより、排出海水ＥＳに存在する重亜硫酸塩イオンおよび／または亜硫酸塩イオンを酸化させて、処理された海水ＴＳにおいて不活性硫酸塩を形成し、その後、処理された海水ＴＳを、オーバーフロー管６８を通じて海５０へ環境的に放出する。
【００３３】
上述のように、排出海水ＥＳは、矢印Ｓによって示したように概して水平方向に、第１の端部９０から、海水エアレーション容器５６の出口端部である第２の端部９２まで流れる。排出海水ＥＳが第１の端部９０から第２の端部９２へ流れるとき、乱流およびエアレーションによって排出海水ＥＳの表面８２に泡ＨＭが発生される。排出海水ＥＳが第１の端部９０から第２の端部９２へ流れる結果、第２の端部９２の近くにおいて泡ＨＭが生じるまたは集まる。泡ＨＭは、水銀などの比較的高濃度の重金属を含有し得る。
【００３４】
泡ＨＭが表面８２に生じるまたは海水エアレーション容器５６からオーバーフロー管６８を通じて海５０へ流れることを防止するために、エアレーションファン６２の低圧側８８、すなわち吸込側は、吸込ダクト９６を介して消泡装置９８に流体接続されている。これに代えて、海水エアレーション容器５６は、海水エアレーション容器５６に含まれた排出海水ＥＳに空気Ａまたは酸素含有ガスを吹き込むために作動可能な第１のエアレーションファン６２に流体接続されている。ポータブルファンなどの、点線によって示された第２のファン６２ａは、発生した泡ＨＭを、海水エアレーション容器５６に含まれた排出海水ＥＳの表面から消泡装置９８へ吸い込むために、低圧側８８ａを有しながら作動可能である。海水エアレーション容器に含まれた排出海水ＥＳに通気するために海水エアレーション容器５６に空気Ａを吹き込むために既に使用されている第１のエアレーションファン６２の使用は、ポータブルファンなどの別のより小さなサイズの第２のファン６２ａよりも、主体の消泡装置９８に関して使用するためには好ましくない。主体の消泡装置９８に関する第１のエアレーションファン６２の使用は、場合によっては、その作動のために必要とされるよりも多くの吸込を生じ得る。この理由から、ポータブルファンなどの別個のより小さなタイプのファン６２ａの低圧側８８ａを使用することが好ましい。なぜならば、エアレーションファン６２は、主体の消泡装置９８の作動のために必要であるよりも多くの吸込を生じ得るからである。消泡装置９８には泡ダクト１００も流体接続されている。泡ダクト１００は、泡ダクト１００のダクト出口１０２を介して消泡装置９８の泡入口１２８に流体接続されている。泡ダクト１００のダクト出口１０２の反対側には、泡ダクト入口１０４が設けられている。泡ダクト１００の泡ダクト入口１０４は、好適には、泡ダクト１００と比較してより拡大されたサイズのものであり、エアレーションファン６２またはポータブルファン６２ａからの吸込により、発生した泡ＨＭを表面８２から除去するために機能する。表面８２から吸い込まれた発生した泡ＨＭは、以下により詳細に説明するように、消泡装置９８の泡入口１２８に流入し、消泡装置において破壊される。エアレーションファン６２またはポータブルファン６２ａを使用した表面８２からの発生した泡ＨＭの吸込は、連続的に、予定した周期で、検出器により開始される“必要に応じた”周期で、または吸込ダクト９６における弁９６ａの開閉により制御される同様の不連続式に、行われてよい。
【００３５】
消泡装置９８に吸い込まれた発生した泡ＨＭは破壊され、流体ＰＦを生じる。生じた流体ＰＦは、流体接続された消泡装置９８に排出ダクト１２２を介して流体接続された流体収集タンク１２０において収集、貯蔵および／または処理されてよい。この場合、排出ダクト１２２を通じて流体収集タンク１２０に収集された生じた流体ＰＦは、海５０またはその他への生じた流体ＰＦの放出の前に、流体ＰＦにおける重金属の潜在的に比較的高い濃度の少なくとも一部を除去するために、必要に応じて処理されてよい。この場合、処理された生じた流体ＴＦは、処理された生じた流体ＴＦを海５０へ戻すためのオーバーフロー管６８に流体接続された、流体接続された処理された流体管１０６を通じて、流体収集タンク１２０から放出されてよい。
【００３６】
これに代えて、流体収集タンク１２０に収集された生じた流体ＰＦは、発生した処理された生じた流体ＴＦの放出前または処理された生じた流体ＴＦの、発電プラント１０における他のところまたは敷地外での利用前に、生じた流体ＰＦにおける重金属の潜在的に比較的高い濃度の少なくとも一部を除去するために、付加的な発電プラント１０の設備（図示せず）へ搬送されてもよい。
【００３７】
主体の消泡装置９８が図３に最も良く示されている。消泡装置９８は、内部領域１２６を規定するハウジング１２４を有する。ハウジング１２４は、吸い込まれる泡ＨＭがハウジング１２４の内部領域１２６へ流入するための、吸い込まれる泡ＨＭの入口１２８と、ハウジング１２４の内部領域１２６から空気ＰＡが流出するための空気出口１３０を備える。ハウジング１２４は、流体供給部１３６と流体連通した配管１３４を含む噴霧システム１３２をも有する。流体供給部１３６は、タンク、水などの配管流体源、または水貯蔵部および／または供給部などの流体のためのその他の適切な供給源の形式であってよい。配管／流体供給部からハウジング１２４内へ流体ＳＦを噴霧するために機能する１つまたは複数の開口またはノズル１３８も、配管１３４と流体連通している。この場合、開口またはノズル１３８から噴霧された流体ＳＦは、ハウジング１２４の内部領域１２６を横切って配置された少なくとも１つの小孔付きプレート１４２の入口表面１４０に向かって方向付けられる。少なくとも１つの小孔付きプレート１４２は、ハウジング１２４の内部領域１２６を入口領域１４４と出口領域１４６とに分割している。選択的に、少なくとも１つの小孔付きプレート１４２は、同じまたは異なるメッシュサイズを有する１つまたは複数のスクリーンの形態であってもよい。ミストエリミネータ１４８は、出口領域１４６と流体連通して配置されており、空気出口１３０から流出する空気および生じた空気ＰＡに含まれた水分量の少なくとも一部を減じるために機能する。ミストダクト１５０は、ミストエリミネータ１４８の底部１５２と流体連通して配置されている。空気から除去された水分と、空気出口１３０から流出する生じた空気ＰＡとは、ミストダクト１５０を通じて、ミストエリミネータ１４８の内部１５４から、ハウジング１２４の流体接続された出口領域１４６へ排出される。さらに、排出ダクト１２２は、ハウジング１２４の内部領域１２６の底部１５６と流体連通して配置されており、ハウジング１２４の内部領域１２６から流体を排出するために機能する。主体の消泡装置９８を使用する場合、排出海水ＥＳの表面８２からの泡ＨＭは、ポータブルファン６２ａ、エアレーションファン６２などのファンの低圧側８８，８８ａによってハウジング１２４の内部領域１２６へ吸い込まれる。ハウジング１２４内では、吸い込まれた泡ＨＭは、１つまたは複数の開口またはノズル１３８から少なくとも１つの小孔付きプレート１４２に向かって噴霧された流体ＳＦによって破壊される。少なくとも１つの小孔付きプレート１４２は、ハウジング１２４の内部領域１２６における吸い込まれた泡の流れを妨害する。吸い込まれた泡ＨＭの破壊は、流体ＰＦと、空気ＰＡとを生じる。噴霧された流体ＳＦと、生じた流体ＰＦとは、排出ダクト１２２を通じてハウジング１２４の内部領域１２６から排出される。生じた空気ＰＡは、空気出口１３０を通じてハウジング１２４の内部領域１２６から流出する。主体の消泡装置９８を作動させる場合、発生した泡ＨＭを吸い込むためにポータブルファン６２ａ、エアレーションファン６２などのファンの低圧側８８，８８ａを利用することは、連続的に、予定した周期で、検出器により開始される“必要に応じた”周期で、または吸込ダクト９６における弁９６ａによって制御されたその他の不連続式に、行われてよい。消泡装置９８を作動させるためまたは作動させないために、弁９６ａが開閉されてよい。
【００３８】
図４に最も良く示したように、小孔付きプレート１４２の入口面１４０の前側の泡入口１２８の図が示されている。小孔付きプレート１４２は、構造を簡略にするために、好適には平坦である。しかしながら、主体の消泡装置９８において使用するための小孔付きプレート１４２には、湾曲形状などの平坦でない形状も適している。選択的に、少なくとも１つの小孔付きプレート１４２は、同じまたは異なるメッシュサイズを有する１つまたは複数のスクリーンの形態であってもよい。小孔付きプレート１４２の機能は、ハウジング１２４の内部領域１２６における、発生した泡ＨＭの流れを妨害することである。妨害された泡ＨＭは、開口またはノズル１３８から噴霧された流体ＳＦと接触し、この流体ＳＦによって破壊される。発生した泡ＨＭの破壊によって生じた空気ＰＡおよび流体ＰＦは、小孔付きプレート１４２を貫通した複数の小孔１５８を流過する。小孔１５８は、入口面１４０から、反対側の出口面１５６まで小孔付きプレート１４２を貫通している。小孔１５８は、小孔付きプレート１４２に開放領域１６０を形成している。小孔付きプレート１４２は、消泡装置９８における発生した泡ＨＭの流れを妨害しながら、消泡装置９８を通って十分な空気、生じた空気ＰＡおよび生じた流体ＰＦが流れることを保証するために、好適には約５０％〜約７５％、または約７５％〜約９０％の開放領域１６０を有する。さらに、消泡装置９８は、２つ以上の小孔付きプレート１４２を有してもよい。消泡装置９８に２つ以上の小孔付きプレート１４２が具備される場合には、それぞれの小孔付きプレート１４２の開放領域１６０の形状および割合は、発生した泡ＨＭの流れを妨害しながら流体の流れを最適化するために、同じであっても、異なっていてもよい。
【００３９】
要するに、主体の開示は、海水法式排煙脱硫システム２８の関連する海水エアレーション容器５６における排出海水ＥＳのエアレーションの間に排出海水ＥＳの表面８２に発生される、場合によっては重金属を含有する泡ＨＭのレベルを制御するための装置９８および方法を提供する。この場合、排出海水ＥＳを含む海水エアレーション容器５６は、海水エアレーション容器５６内の排出海水のエアレーションのために海水エアレーション容器５６内の排出海水ＥＳ内へ酸素含有ガスまたは空気Ａを吹き込むために機能するエアレーションファン６２に流体接続されている。エアレーションファン６２、ポータブルファン６２ａなどは、同様に、海水エアレーション容器５６内の排出海水ＥＳの表面８２から泡ＨＭを吸い込むために機能する。エアレーションファン６２、ポータブルファン６２ａなどを利用して排出海水ＥＳの表面８２から泡ＨＭを吸い込むことは、連続的に、予定した周期で、検出器により開始される“必要に応じた”周期で、またはその他の不連続式に、行われてよい。流体収集タンク１２０は、必要に応じて、消泡装置９８から流体ＳＦ／生じた流体ＰＦの収集、貯蔵および／または選択的に処理のために使用される。吸い込まれた発生した泡は水銀などの重金属を含有し得るので、消泡装置９８からの生じた流体ＰＦは同様に重金属を含有し得る。消泡装置９８から流体収集タンク１２０内へ排出された流体ＳＦ／生じた流体ＰＦは、これらの流体から重金属の少なくとも一部を除去するために、流体収集タンク１２０においてまたは他のところで処理されてよい。これに代えて、流体ＳＦ／生じた流体ＰＦは、これらの流体の処理の前および／または後に流体収集タンク１２０に一定時間貯蔵されてよい。これに代えて、流体ＳＦ／生じた流体ＰＦは、発電プラント１０の他のところまたは敷地外における処理のために搬送する前に、流体収集タンク１２０に収集され、選択的に一定時間貯蔵されてもよい。
【００４０】
重金属を含有する泡ＨＭを制御するための主体の方法は、海水エアレーション容器５６内の排出海水ＥＳのエアレーションのために酸素含有ガスまたは空気Ａを排出海水ＥＳに吹き込むために機能するエアレーションファン６２に流体接続された海水エアレーション容器５６を提供することを含む。ポータブルファン６２ａ、エアレーションファン６２などのファンは、水銀などの重金属を含有する発生した泡ＨＭを、海水エアレーション容器５６に含まれた排出海水ＥＳの表面８２から吸い込むために機能する。ファン６２，６２ａを利用して排出海水ＥＳの表面８２から泡ＨＭを吸い込むことは、連続的に、予定した周期で、検出器により開始される“必要に応じた”周期で、またはその他の不連続式に、行われてよい。流体収集タンク１２０は、排出海水ＥＳの表面８２から吸い込まれた、水銀などの重金属を含有する吸い込まれた泡ＨＭの収集、貯蔵および／または選択的に処理のために使用される。吸い込まれた泡ＨＭは水銀などの重金属を含有するので、消泡装置９８から流体収集タンク１２０へ排出された流体ＳＦ／生じた流体ＰＦの処理は、これらの流体から重金属の少なくとも一部を除去することを含む。このために、消泡装置９８から排出された流体ＳＦ／生じた流体ＰＦは、これらの流体の処理の前および／または後に流体収集タンク１２０において一定時間貯蔵されてよい。これに代えて、流体ＳＦ／生じた流体ＰＦは、発電プラント１０の他のところまたは敷地外における処理のために流体ＳＦ／生じた流体ＰＦを搬送する前に、流体収集タンク１２０に収集され、選択的に一定時間貯蔵されてもよい。
【００４１】
本発明の装置および方法は、複数の好適な実施の形態に関して説明されているが、その範囲から逸脱することなく、様々な変更が加えられてよく、前記実施の形態の要素の代わりに均等物が代用されてよいことが当業者によって理解されるであろう。加えて、発明の基本的な範囲から逸脱することなく、特定の状況または材料を主体の装置および／または方法の教示に適応させるために、多くの変更がなされてよい。したがって、主体の装置および／または方法は、考えられた最良の形態として開示されかつここに示された特定の実施の形態に限定されないが、添付の請求項の範囲に該当する全ての実施の形態を含むことが意図されている。さらに、第１、第２などの用語のあらゆる使用は、いかなる順序または重要性を示すものではなく、第１、第２などの用語は、１つの要素を別の要素と区別するために使用されている。
【００４２】
上述の実施形態の多くの変更が添付の請求項の範囲で可能であることが認められるであろう。
【符号の説明】
【００４３】
１０  発電プラント、  １２  ボイラ、  １４  燃料源、  １６  供給管、  １８  酸素源、  ２０  酸素供給ダクト、  ２２  ダクト、  ２４  微粒子収集装置、  ２６  ダクト、  ２８  海水法式排煙脱硫システム、  ３０  吸収装置、  ３２  入口、  ３４  下側部分、  ３６  内部、  ３８  中央部分、  ４０  噴霧配列、  ４２  供給管、  ４４  ノズル、  ４６  ポンプ、  ４８  吸込管、  ５０  海、  ５２  圧力管、  ５４  排出管、  ５６  海水エアレーション容器、  ５８  パッキング材料、  ６０  管、  ６２  エアレーションファン、  ６２ａ  第２のファン、  ６４  管路、  ６６  酸素供給システム、  ６８  オーバーフロー管、  ８０  海水処理システム、  ８２  表面、  ８８，８８ａ  低圧側、  ９０  第１の端部、  ９２  第２の端部、  ９４  出口、  ９６  吸込ダクト、  ９６ａ  弁、  ９８  消泡装置、  １００  泡ダクト、  １０２  ダクト出口、  １０４  泡ダクト入口、  １２０  流体収集タンク、  １２２  排出ダクト、  １２４  ハウジング、  １２６  内部領域、  １２８  泡入口、  １３０  空気出口、  １３２  噴霧システム、  １３４  配管、  １３６  流体供給部、  １３８  ノズル、  １４０  入口表面、  １４２  小孔付きプレート、  １４４  入口領域、  １４６  出口領域、  １４８  ミストエリミネータ、  １５０  ミストダクト、  １５２  底部、  １５４  内部、  １５６  底部、  １５８  小孔、  １６０  開放領域、  Ｆ  燃料、  Ｏ  酸素、  ＦＧ  排煙、  ＳＷ  海水、  ＥＳ  排出海水、  Ａ  空気、  ＥＳ  排出海水、  ＴＳ  処理された海水、  ＨＭ  泡、  ＰＦ  生じた流体、  ＴＦ  処理された生じた流体、  ＰＡ  生じた空気
【図１】
2015213904.tif 000003
【図２】
2015213904.tif 000004
【図３】
2015213904.tif 000005
【図４】
2015213904.tif 000006
【外国語明細書】
2015213904.tif 000007
2015213904.tif 000008
2015213904.tif 000009
2015213904.tif 000010
2015213904.tif 000011
2015213904.tif 000012
2015213904.tif 000013
2015213904.tif 000014
2015213904.tif 000015
2015213904.tif 000016
2015213904.tif 000017
2015213904.tif 000018
2015213904.tif 000019
2015213904.tif 000020
2015213904.tif 000021
2015213904.tif 000022
2015213904.tif 000023
2015213904.tif 000024
2015213904.tif 000025
2015213904.tif 000026
2015213904.tif 000027
2015213904.tif 000028
2015213904.tif 000029
2015213904.tif 000030
2015213904.tif 000031
2015213904.tif 000032
2015213904.tif 000033